(57)【要約】      （修正有）【課題】従来盂蘭盆の時期には、生花のほおずきが多用されているが花瓶に生ける事が一般的で、他に点燈する脱色ホウズキフラワーや蓄光布を有効利用した室内装飾品、照明機構の花器があるものの、ほおずきを山状に設けられないことや乾燥脱色まで時間を要し生花の自然な色合いが失われる。【解決手段】本発明は生花用のスポンジ状保湿材１を少なくとも一部に備えた容器２の中央部に柱体３を立て、生花用スポンジ状保湿材１に複数本のほおずき４を柱体の頂部から内側に空間９を形成するよう山状に設けた。ほおずき４は実と茎から構成３する物でも、ほおずき４の実に加工を施した物や造形した物を加えても良い。更にほおずき４以外の物品をほおずき４と組み合わせても良い。本発明のほおずき柱において、内側空間９に光源５を設けても良い。【選択図】図１
2006272684.tif 000002
【特許請求の範囲】
【請求項１】
生花用のスポンジ状保湿材を少なくとも一部に備えた容器の中央部に柱体を立て、前記生花用スポンジ状保湿材に複数本のほおずき（茄子科の植物で学名Physalisalkekengi var. franchetii ）を当該柱体の頂部から内側に空間を形成するよう山状に設けたことを特徴とするほおずき柱。
【請求項２】
請求項１記載のほおずき柱において、前記ほおずきの一部又は全部が生花でないことを特徴とするほおずき柱。
【請求項３】
請求項１又は２記載のほおずき柱において、前記ほおずきとほおずき以外の物品を組み合わせてほおずき柱を形成することを特徴とするほおずき柱。
【請求項４】
請求項１〜３のいずれか１項に記載のほおずき柱において、前記空間における前記柱体に光源を設けたことを特徴とするほおずき柱。
【発明の詳細な説明】
【技術分野】
【０００１】
この発明は、装飾品の構造に関する。
【背景技術】
【０００２】
従来盂蘭盆の時期には、装飾品として生花のほおずきが多用されているが根に相当する部分から切除された物を花瓶に生ける事が一般的であった。又他に装飾品として点燈する脱色ホウズキフラワー（例えば特許文献１参照）や蓄光布を有効利用した室内装飾品（例えば特許文献２参照）がある。更には花器に関する物として照明機構の花器がある。（例えば特許文献３参照）
【特許文献１】特開平７−１０８７９９号公報
【特許文献２】特開２０００−３１３１９９号公報
【特許文献３】特開２００１−２８６３７７号公報
【発明の開示】
【発明が解決しようとする課題】
【０００３】
特許文献１に記載の点燈する脱色ホウズキフラワーは乾燥脱色まで時間を要することや生花の自然な色合いが失われること又、特許文献２に記載の蓄光布を有効利用した室内装飾品は蓄光布により少なくとも花びらを形成して造花とした物であること、更に特許文献３に記載の照明機構の花器は、ほおずきを頂部で結束して支えるための柱体が存在せず、この柱体が無ければほおずきを内側に空間を形成するよう山状に密集状態に設けることはできないことから当該発明では癒しを提供し、盂蘭盆などを華美に効果的に演出することには不十分であった。
【課題を解決するための手段】
【０００４】
以上の課題を解決するために本発明は生花用のスポンジ状保湿材を少なくとも一部に備えた容器の中央部に柱体を立て、前記生花用スポンジ状保湿材に複数本のほおずき（茄子科の植物で学名Physalisalkekengi var. franchetii ）を当該柱体の頂部から内側に空間を形成するよう山状に設けたほおずき柱を提供する。
本発明のほおずき柱において、ほおずきは葉を落とし、実と茎から構成する物でも良い。又、生花のほおずきの実に加工を施した物やほおずきの一部に針金片や紙片、布片で造形した物を加えても良い。更にほおずきの全てが造花であっても良い。
更に本発明のほおずき柱において、向日葵などのほおずき以外の物品をほおずきと組み合わせたりほおずき柱の外側周囲に配するなどしてほおずき柱を形成しても良い。
又、本発明のほおずき柱において、前記内側の空間における前記柱体に光源を設けても良い。
【発明の効果】
【０００５】
本発明によって、ほおずきを複数本内側に空間を形成するよう山状に密集状態に設けたことで、ほおずきの切り花を花瓶に活けるよりも豪華な見掛けとし、盂蘭盆などを効果的に演出することができる。
なお、生花でないほおずきを同時に用いることによって生花の発育状態に応じては葉を落とし実と茎の状態にして見掛けを良くしたり、生花の発育に障害があったときなどは一部を針金片や紙片、布片で造形することによって補填することもできる。更に時期を外したり生花が供給できないときには全てを造花で代用することも可能である。
更に向日葵などのほおずき以外の物品を、ほおずきと組み合わせたりほおずき柱の外側周囲に配するなどしてほおずき柱を形成することにより一段と華美に演出することもできる。
そして、ほおずき柱に光源を設けることによりほおずきから光が透過し幻想的な演出となり癒しを提供することができる。
【発明を実施するための最良の形態】
【０００６】
この発明の実施形態を実施例となる図面と共に説明する。図１はこの発明の一実施例を側面から見た断面図で、図２はこの発明の図１に記載するA−A断面図である。生花用スポンジ状保湿材１を少なくとも一部に備えた容器２の中央部に柱体３を直立状に設け、生花用スポンジ状保湿材１に少なくとも２０本以上は使用してほおずき（茄子科の植物、学名 Physalis alkekengi var. franchetii ）４を柱体３の頂部から内側に空間９を形成するよう山状に密集状態に設けた。
【０００７】
本発明が使用する生花用スポンジ状保湿材１は生花を差し込むことや、挿した生花が動かないように固定することができ更に生花に給水する機能を有すれば良い。又、容器２に満遍なく充填する必要はなく少なくとも一部に備えていれば良い。
【０００８】
容器２は直径５０cm高さ２０cmの円形容器であるが長方形でも良く材質はプラスチックでもガラス製でも陶器でも水分が漏出せず安定した大きさと重量を有すれば良い。又、その容器２の外側に竹で網状に編んだ物を施しても良い。
【０００９】
柱体３は木製でもプラスチック製でも良く少なくとも、幅５cm厚さ３cm長さ１４０cmは要し光源５を設けた場合において光源５とほおずき４を支える強度を有していれば良い。
【００１０】
光源５は長さ６０cmの蛍光灯で、ほおずき４を山状に密集状態に設けたほおずき柱から光を透過することが出来れば電球であっても良い。
【００１１】
ほおずき４は葉を落とし、実と茎から構成する物でも良く又、生花に限らず生花のほおずきの実に加工を施した物やほおずきの一部に針金片や紙片、布片で造形した物を加えても良い。更にほおずきの全てが造花であっても良い。更に図３に示すごとく仏像を描いた物品１０に限らず針金片や紙片、布片で雲などを造形した物や向日葵などほおずき以外の物品１１を加えても良い。
全てが造花を使用する場合は生花用スポンジ状保湿材１には水分を含ませる必要はない。
【００１２】
図４は本発明の他の実施形態となる照明装置の断面図を示す。
図４中６は他の実施形態による容器本体である。中央部に蛍光灯５を直立させる為の柱体１２を一体的に備えている。
更に柱体１２には透明カバー７を取り付けるためのねじ切りが外側上部周囲に施されている。
【００１３】
透明カバー７は円柱状で内側には柱体１２と接合するためのねじ切りが下方に施され、蛍光灯５の熱を上方に逃がすための通風口８を上下に有している。ほおずき４を頂部で結束して支える為の機能と強度を有していれば円柱状に限らず角柱状でも良い。
照明装置付容器６はほおずき４が枯れても再使用や他に転用することもでき商品価値を著しく損なうことはない。
透明カバー７と柱体１２の接合はねじ込みに限らずビス止めでも留め金を使用してもはめ込み式でも良い。
【図面の簡単な説明】
【００１４】
【図１】この発明の一実施例を示す側面から見た断面図である。
【図２】この発明の一実施例を示すA−A断面図である。
【図３】この発明の他の実施形態となる側面図である。
【図４】この発明の他の実施形態となる照明装置の断面図である。
【符号の説明】
【００１５】
１  生花用スポンジ状保湿材
２  容器
３  柱体
４  ほおずき（茄子科の植物で学名Physalisalkekengi var. franchetii ）
５  光源（蛍光灯）
６  照明装置付容器
７  透明カバー
８  通風口
９  空間
１０  仏像を描いた物品
１１  ほおずき以外の物品
１２  柱体
【図１】
2006272684.tif 000003
【図２】
2006272684.tif 000004
【図３】
2006272684.tif 000005
【図４】
2006272684.tif 000006